(57)【要約】【解決手段】  本発明は、垂直方向の駆動シャフト（２４）の回転を案内するスタンド（２２）を備えているワイパ装置の固定装置に関する。前記スタンド（２２）は、駆動シャフト（２４）を回転するように案内する円筒部（２６）と、弾性変形可能な材料で形成された減衰ブロック（４６）により、スタンド（２２）を車両のボディ（３０）に固定する水平方向を向くベース板（３２）とを備えている。前記減衰ブロック（４６）は、垂直方向を向くロッド（５０）と、減衰ブロック（４６）をロックする部材（６４）とを備える固定部（４８）により、ボディ（３０）に固定されている。本発明は、衝突時に、ロック部材（６４）がロッド（５０）から外れることを可能とさせる連結手段により、ロッド（５０）とロック部材（６４）とを連結することを特徴としている。それにより、駆動シャフト（２４）は、軸方向に後退する。
2005511381.tif 000002
【特許請求の範囲】
【請求項１】
垂直軸（Ａ１）方向に延びる駆動シャフト（２４）の回転及び固定を案内する少なくとも１つのスタンド（２２）を備え、このスタンド（２２）は、駆動シャフト（２４）を回転するように案内する円筒部（２６）と、弾性変形可能な材料で形成された減衰ブロック（４６）により、スタンド（２２）を車両のボディ（３０）に固定する水平方向を向くベース板（３２）とを備え、前記減衰ブロック（４６）は、減衰ブロック（４６）を貫通し、ボディ（３０）に連結された垂直方向を向くロッド（５０）と、ボディ（３０）に固定された減衰ブロック（４６）を垂直方向にロックする部材（６４）とを備える固定部（４８）により、ボディ（３０）に固定されている自動車用のワイパ装置の固定装置において、
一定の衝撃よりも大きい下方への衝撃がワイパ装置（２０）に加わると、ロック部材（６４）がロッド（５０）に対して垂直方向下方へスライドし、ロッド（５０）とロック部材（６４）とを分離させうる連結手段により、ロッド（５０）とロック部材（６４）とを連結してあることを特徴とする固定装置。
【請求項２】
連結手段は、少なくとも１つの弾性変形可能な部材であるラグ（７６）または弾性リング（８２）を備えていることを特徴とする、請求項１に記載の固定装置。
【請求項３】
連結手段は、ロック部材（６４）をロッド（５０）に保持させるとともに、衝突時には、ロッド（５０）から外れるようにする少なくとも１つの弾性リング（８２）を備えていることを特徴とする、請求項２に記載の固定装置。
【請求項４】
連結手段は、ロック部材（６４）の下端に取り付けられ、径方向外側に分離可能とされ、かつ垂直方向を向くその内周面（７８）は、ロック部材（６４）をロッド（５０）と連結させるために、ロッド（５０）の周面と協働するようになっている少なくとも２つのラグ（７６）を備えていることを特徴とする、請求項２に記載の固定装置。
【請求項５】
連結手段は、少なくとも１つの可塑性の部材であるラグ（７０）またはリリーフ（７４ａ）（７４ｂ）を備えていることを特徴とする、請求項１に記載の固定装置。
【請求項６】
ロッド（５０）の下端には、ロック部材（６４）の下面と当接し、外側へ湾曲する少なくとも１つのラグ（７０）が設けられていることを特徴とする、請求項５に記載の固定装置。
【請求項７】
ロック部材（６４）は、垂直方向へ延び、ロッド（５０）が貫通した管状または円筒形のスリーブ（７２）を備え、スリーブ（７２）の内周面とロッド（５０）の外周面とを、相補的なリリーフ（７４ａ）（７４ｂ）により連結していることを特徴とする、請求項５に記載の固定装置。
【請求項８】
連結手段は、少なくとも１つの破損誘導領域（８６）を備えていることを特徴とする請求項１記載の固定装置。
【請求項９】
ロック部材（６４）及びロッド（５０）は、固定部（４８）の２つの部材であり、ロッド（５０）を、破損誘導領域（８６）によりロック部材（６４）に連結してあることを特徴とする、請求項８記載の固定装置。
【請求項１０】
ロック部材（６４）を、中間部材（８８）によりロッド（５０）に連結し、ロック部材（６４）を、破損誘導領域（８６）により中間部材（８８）に連結してあることを特徴とする、請求項８に記載の固定装置。
【発明の詳細な説明】
【技術分野】
【０００１】
本発明は、自動車用のワイパ装置の固定装置に関する。
【０００２】
より詳しく言うと、本発明は、垂直軸方向に延びる駆動シャフトの回転及び固定を案内する少なくとも１つのスタンドを備え、このスタンドは、シャフトを回転するように案内する円筒部と、弾性変形可能な材料で形成された減衰ブロックにより、スタンドを車両のボディに固定する水平方向を向くベース板とを備え、減衰ブロックは、減衰ブロックを貫通し、ボディに連結された垂直方向を向くロッドと、ボディに固定された減衰ブロックを垂直方向にロックする部材とを備える固定部により、ボディに固定されている自動車用のワイパ装置の固定装置に関する。
【背景技術】
【０００３】
上述したようなスタンドは、車両のボディにワイパ装置を固定する公知の機構を有している。
【０００４】
車両が歩行者と衝突すると、車両の外側に延びているワイパ装置の一部が、突出物となって怪我をさせてしまう危険がある。
【０００５】
また、激しく衝突した場合、客室に近接するエンジンルームに設けられたワイパ装置は、衝撃力のために、風防ガラスを破って客室内に飛び込んでくる危険もある。
【０００６】
ワイパ装置のような剛質の部材が飛び込んでくると、乗客にとっ危険であるので、激しい衝突時におけるワイパ装置の動きを予測することが必要である。
【発明の開示】
【発明が解決しようとする課題】
【０００７】
フランス国特許公開第2,733,474号公報には、破損誘導領域を備えるスタンドを後退させる手段が、またヨーロッパ特許公開第916,559号公報には、駆動シャフトを、案内円筒部内へ軸方向に後退させるものが開示されている。
【０００８】
しかしながら、このようなものでは、複雑な形状の部材や、追加的な部材を用いることが必要である。従って、規格部品を用いることができず、製造コストが増加する。
【０００９】
本発明の目的は、規格部品を用い、軸方向の衝撃時に、駆動シャフトを後退させることができるようにしたスタンドを提供することにある。
【課題を解決するための手段】
【００１０】
この目的のため、本発明は、上述した種類の固定装置において、一定の衝撃よりも大きい下方への衝撃がワイパ装置に加わると、ロック部材が、ロッドに対して垂直方向下方へスライドし、ロッドとロック部材とを分離させうる連結手段により、ロッドとロック部材とを連結してあることを特徴とする固定装置を提案するものである。
【００１１】
本発明の他の特徴は、次の通りである。
−連結手段は、少なくとも１つの弾性変形可能な部材を備えている。
−連結手段は、ロック部材をロッドに保持させるとともに、衝突時には、ロッドから外れるようにする少なくとも１つの部材を備えている。
−連結手段は、ロック部材の下端に取り付けられ、径方向外側に分離可能とされ、かつ垂直方向を向くその内周面は、ロック部材をロッドと連結させるために、ロッドの周面と協働するようになっている少なくとも２つのラグを備えている。
−連結手段は、少なくとも１つの可塑性の部材を備えている。
−ロッドの下端には、ロック部材の下面と当接し、外側へ湾曲する少なくとも１つのラグを備えている。
−ロック部材は、垂直方向へ延び、ロッドが貫通した管状または円筒形のスリーブを備え、スリーブの内周面とロッドの外周面とは、相補的な部材により連結されている。
−連結手段は、少なくとも１つの破損誘導領域を備えている。
−ロック部材及びロッドは、固定部の２つの部材であり、ロッドは、破損誘導領域によりロック部材に連結されている。
−ロック部材は、中間部材によりロッド（５０）に連結され、ロック部材は、破損誘導領域により中間部材に連結されている。
【００１２】
本発明の他の特徴及び利点は、図面を用いて行う詳細な説明から明らかになると思う。
【発明を実施するための最良の形態】
【００１３】
以下の説明において、同一または類似の部材には、同一符号を付してある。
【００１４】
図１、図２及び図３は、スタンド（２２）と、ワイパアーム（図示しない）を駆動するシャフト（２４）とを備える自動車の窓（図示しない）のためのワイパ装置（２０）を示している。
【００１５】
スタンド（２２）により、シャフト（２４）の回転及び固定が案内される。スタンド（２２）は、垂直軸（Ａ１）の周りを回転するシャフト（２４）を嵌合する、垂直軸（Ａ１）を有する管状の円筒部（２６）を備えている。
【００１６】
非限定的な例では、軸は、垂直軸（Ａ１）となっている。
【００１７】
スタンド（２２）を車両のボディ（３０）に固定するために、スタンド（２２）は、円筒部（２６）から水平方向に、すなわち、垂直軸（Ａ１）と直交する面で延びるベース板（３２）を備えている。
【００１８】
また、スタンド（２２）は、円筒部（２６）から水平方向に延び、スタンド（２２）をワイパ装置（２０）の駆動部（図示しない）に連結するスタブ（３４）を備えている。
【００１９】
シャフト（２４）の上端（３６）は、円筒部（２６）の上端を超えて、軸方向外側へ突出しており、ノッチが形成された円錐状の軸受け面（３８）に、ワイパを取り付けうるようになっている。シャフト（２４）の軸受け面（３８）の自由上端にナット（図示しない）がねじ込まれ、ワイパは軸方向にクランプされている。
【００２０】
シャフト（２４）を回転駆動させるために、クランク（４０）が、シャフト（２４）の垂直軸（Ａ１）と直交して、シャフト（２４）の下端に回転一体的に取り付けられている。
【００２１】
ギヤモータ（図示しない）により駆動される制御リンク（図示しない）に連結するために、クランク（４０）は、シャフト（２４）に固定される端部と対向する長手方向の自由端（４２）において、球状のスイベル（４４）を有している。スイベル（４４）は、制御リンクにより保持された相補的形状のハウジング（図示しない）に嵌合されるようになっている。
【００２２】
公知の構成により、振動を減衰するために、ベース板（３２）は、例えば、エラストマー材料で形成された円筒状ブロックである減衰ブロック（４６）により、ボディ（３０）に固定されている。
【００２３】
減衰ブロック（４６）は、シャフト（２４）の垂直軸（Ａ１）と平行な垂直軸（Ａ２）に沿って延びている。
【００２４】
エラストマー材料で形成され、中央の固定部（４８）にモールドされている減衰ブロック（４６）を製造することは公知である。固定部（４８）は、減衰ブロック（４６）を軸方向に通過し、環状の断面を有する管状のロッド（５０）を備えている。
【００２５】
ロッド（５０）は、ボディ（３０）への固定のためのねじ（５４）がねじ込まれる上方ねじ切り部（５２）と、水平方向を向く上側カラー（５６）とを備えている。ねじ（５４）の締め付けにより、上側カラー（５６）の下面（５６ｉ）は、減衰ブロック（４６）の上面（４６ｓ）と当接し、その上面（５６ｓ）は、ボディ（３０）の下面と当接している。
【００２６】
また、固定部（４８）は、減衰ブロック（４６）を固定部（４８）に固定するロック部材（６４）を備えている。ロック部材（６４）は、水平方向を向くワッシャであり、その上面（６４ｓ）は、減衰ブロック（４６）の下面（４６ｉ）に当接し、連結手段によりロッド（５０）に連結されている。
【００２７】
このようにして、減衰ブロック（４６）は、ロッド（５０）の上側カラー（５６）とロック部材（６４）との間で垂直方向に固定され、軸方向にクランプして取り付けられている。
【００２８】
減衰ブロック（４６）は、ベース板（３２）の相補的なハウジング（６８）に取り付けられている。より詳しく言うと、ハウジング（６８）は円形の孔状であり、減衰ブロック（４６）の周面に形成された溝（６９）の寸法となっている。
【００２９】
本発明によれば、ロック部材（６４）とロッド（５０）との連結手段により、激しい衝突、特に、歩行者との衝突時に、ロック部材（６４）がロッド（５０）から外れるようになっている。それにより、減衰ブロック（４６）は、ロッド（５０）に対して垂直方向下方へスライドする。そのため、減衰ブロック（４６）が固定部（４８）から外れ、ベース板（３２）、円筒部（２６）及びシャフト（２４）が軸方向後方へ後退する。
【００３０】
しかし、下方へ、すなわち垂直方向の下方へ向かう衝撃のみにより、上述したように外れるようになっている。
【００３１】
図２〜図５に示す本発明の第１の実施例によれば、ロッド（５０）の下端には、ラグ（７０）が設けられている。ラグ（７０）は、径方向外側に湾曲し、ロック部材（６４）の下面（６４ｉ）と当接しており（図５）、連結手段をなしている。
【００３２】
ラグ（７０）は、ロッド（５０）と軸方向に整列する大きさとなっており、強い衝突があった場合、変形または破損するようになっている。この場合、ラグ（７０）は、もはやロック部材（６４）を保持せず、ロッド（５０）から外れる。
【００３３】
図８は、本発明の他の実施例であり、衝突時に変形する連結手段を示している。
【００３４】
ロック部材（６４）は、減衰ブロック（４６）を貫通して、垂直方向上方へ延びる管状のスリーブ（７２）を備え、ロッド（５０）はスリーブ（７２）を貫通している。ロッド（５０）とロック部材（６４）との連結手段は、ロッド（５０）の凸状の外周面に設けられたリリーフ（７４ａ）とスリーブ（７２）の内周面に設けられ、リリーフ（７４ａ）と協働する相補的なリリーフ（７４ｂ）とである。
【００３５】
相補的形状のリリーフ（７４ａ）（７４ｂ）は、重ねられた環状カムの形状となっている。リリーフ（７４ａ）（７４ｂ）を、他の形状、例えば、ロッド（５０）の周面をローレット切りした形状や、一方が他方よりも軟質の材料で形成された、ナットとねじとによる雄型/雌型ねじアッセンブリの形状とすることができる。
【００３６】
ロック部材（６４）を外せるようにするために、相補的形状のリリーフ（７４ａ）（７４ｂ）は、衝突時に変形しうるような寸法及び材質で形成されている。完全に外れるまで、スリーブ（７２）及びロック部材（６４）は、ロッド（５０）に沿って移動することができるようになっている。
【００３７】
図６、図７及び図１０は、連結手段が弾性変形する本発明の２つの実施例を示している。
【００３８】
図６及び図７に示す実施例によれば、ロッド（５０）及びロック部材（６４）は、固定部（４８）の２つの部材となっている。
【００３９】
ロック部材（６４）は、減衰ブロック（４６）を通過して垂直方向上方へ延び、ねじ（５４）が貫通するスリーブ（７２）を備えている。ロッド（５０）は、ロック部材（６４）の下面から、軸方向下方へ延びるラグ（７６）からなっている。
【００４０】
ラグ（７６）の内周面（７８）は、ねじ（５４）に形成された雄ねじと協働する雌ねじを備えており、ロック部材（６４）をねじ（５４）に固定することができる。各ラグ（７６）は、薄肉領域（８０）を備えている。弾性強さが小さい薄肉領域（８０）があるために、衝突時には、相補的なねじによる傾斜効果により、ラグ（７６）は外側へ向かって径方向に移動する。このようにして、ロック部材（６４）がねじ（５４）から外れるようになっている。
【００４１】
図１０に示す実施例によれば、連結手段は、ロッド（５０）に取り付けられた弾性リング（８２）からなっている。
【００４２】
弾性リング（８２）は、ロッド（５０）に形成された相補的な溝（８４）に嵌合された弾性スプリットリングとなっている。弾性リング（８２）により、垂直方向下方へ移動するロック部材（６４）が係止されている。
【００４３】
サークリップ型の弾性リング（８２）を示してあるが、例えば、「Grifaxe」型のブレーシングリングのような環状の弾性部材やスプリングリングと置換することができる。
【００４４】
弾性リング（８２）の寸法と材料、及び溝（８４）の深さは、衝突時に弾性リング（８２）が溝（８４）から外れるように定められており、それにより、ロック部材（６４）が外れるようにしてある。
【００４５】
図９及び図１１に示す本発明の他の実施例によれば、固定手段は、破損誘導領域（８６）を備えている。
【００４６】
図９の実施例では、ロッド（５０）及びロック部材（６４）は、固定部（４８）の２つの部材となっている。
【００４７】
ロック部材（６４）は、減衰ブロック（４６）を通過して垂直方向に上方へ延び、ねじ（５４）が貫通したスリーブ（７２）を備えている。ロッド（５０）は、ロック部材（６４）の下面（６４ｉ）から、軸方向下方へ延びるねじ切りされた管状部材である。
【００４８】
ロッド（５０）は、衝突時に破損する断面を有する破損誘導領域（８６）により、ロック部材（６４）に連結されており、ロック部材（６４）が外れるようになっている。
【００４９】
図１１に示す実施例によれば、ロック部材（６４）は、中間部材であるねじ部（８８）を備えている。ねじ部（８８）は、垂直方向上方へ延びており、雄ねじはロッド（５０）の雌ねじと協働し、ロック部材（６４）が固定されるようになっている。
【００５０】
ねじ部（８８）は、破損誘導領域（８６）によりロック部材（６４）の水平部分に連結されている。
【００５１】
破損誘導領域（８６）の断面は、衝突時に破損するような寸法となっている。そのため、ロック部材（６４）の水平部分がねじ部（８８）から外れるとともに、ねじ部（８８）はロッド（５０）にねじ締めされたままとなる。それにより、ロック部材（６４）が外れるようになっている。
【００５２】
ロック部材（６４）をロッド（５０）にねじ締めし、破損後にねじ部（８８）を除去できるようにするために、ロック部材（６４）は、六角孔（９０）を備えている。六角孔（９０）を介して、ロック部材（６４）とねじ部（８８）とを、相補的なねじキーにより調節することができる。
【００５３】
図１２は、ベース板（３２）をボディ（３０）から外せるようになっている、本発明の他の実施例を示している。
【００５４】
ベース板（３２）をボディ（３０）に固定する前に、細線で示すように、減衰ブロック（４６）は垂直軸「Ａ２」を有する円筒形の環状とされ、その外径「Ｄ」は、ベース板（３２）のハウジング（６８）の内径と等しくされている。また、減衰ブロック（４６）は、中央に形成された直径「ｄ」の軸方向孔（９２）を備え、減衰ブロック（４６）の上端には、径方向外側を向くショルダ（９４）が設けられている。
【００５５】
固定部（４８）は、軸方向孔（９２）を通過し、ねじ（５４）が貫通した垂直軸「Ａ２」を有する円筒形で環状の上側部分（９６）を備えている。固定部（４８）の上側部分（９６）は、下側部分（９８）と軸方向に連通している。
【００５６】
下側部分（９８）は、垂直軸「Ａ２」を有する湾曲した回転部材であり、その直径「ｄ１」は、減衰ブロック（４６）の軸方向孔（９２）の直径「ｄ」よりも大となっている。また、下側部分（９８）は、ねじ（５４）を嵌合するねじ山（１００）を備えている。
【００５７】
ワイパ装置（２０）をボディ（３０）に取り付けると、固定部（４８）は、減衰ブロック（４６）内に完全に係合する。
【００５８】
固定部（４８）の下側部分（９８）の寸法は、軸方向孔（９２）よりも大である。そのため、固定部（４８）がねじ締めにより漸進的に減衰ブロック（４６）にねじ止めすると、減衰ブロック（４６）は径方向に変形する。減衰ブロック（４６）は弾性材料で形成されているので、径方向を向く膨出部（１０２）が、減衰ブロック（４６）に形成されることとなる。
【００５９】
膨出部（１０２）の外径「Ｄ１」は、減衰ブロック（４６）の外径「Ｄ」及びハウジング（６８）の直径よりも大であり、ベース板（３２）の軸方向連結のための膨出部（１０２）により、ベース板（３２）を減衰ブロック（４６）に軸方向に連結することができる。
【００６０】
膨出部（１０２）の寸法は、減衰ブロック（４６）の内径「ｄ」及び外形「Ｄ」に基づくものであり、衝突時に、ベース板（３２）が減衰ブロック（４６）から外れるように、固定部（４８）の下側部分（９８）の寸法及び減衰ブロック（４６）の材料が定められている。そのため、衝突時には、ベース板（３２）が下方へ押され、減衰ブロック（４６）が弾性であるために、膨出部（１０２）にかかるベース板（３２）の圧力により、膨出部（１０２）が変形し、ベース板（３２）は、減衰ブロック（４６）に対して、軸方向にスライドしてボディ（３０）から外れる。
【００６１】
減衰ブロック（４６）の弾性は、気候、特に外気温により変化する。従って、ある状況では、膨出部（１０２）を変形させるには、より大きな衝撃が必要であるが、歩行者との衝突時には、これは許されるものではない。
【００６２】
これを防止するために、固定部（４８）に、破損誘導領域を設けることができる。破損誘導領域は、通常の気候条件下において、径方向の膨出部（１０２）が変形するよりも大きい衝撃が発生する時に、破損するようになっている。
【００６３】
本発明の変形例として、機構を単純に逆転させたものとしてもよい。例えば、ねじ（５４２）より減衰ブロック（４６）をベース板（３２）に固定し、ボディ（３０）を減衰ブロック（４６）の溝（６９）に嵌合させることもできる。
【００６４】
本発明によると、衝突時に外れることができるワイパ装置（２０）を、ボディ（３０）に固定することができる。また、規格部品で固定することができるので、製造コストを低く抑えることができる。
【図面の簡単な説明】
【００６５】
【図１】本発明によるワイパ装置の斜視図である。
【図２】本発明によるワイパ装置を固定するロッドの斜視図である。
【図３】シャフト及び減衰ブロックの垂直軸を通過する面における、図１のワイパ装置の軸線方向断面図である。
【図４】スタンド及びシャフトが衝突後に後退した時の、図３と同様の断面図である。
【図５】本発明による減衰ブロック及び固定部の軸線方向拡大断面図である。
【図６】本発明による固定部の第２の実施例を示す断面図である。
【図７】図６に示すロック部材の斜視図である。
【図８】本発明による固定部の第３の実施例を示す断面図である。
【図９】本発明による固定部の第４の実施例を示す断面図である。
【図１０】本発明による固定部の第５の実施例を示す断面図である。
【図１１】本発明による固定部の第６の実施例を示す断面図である。
【図１２】本発明による固定部の第７の実施例を示す断面図である。
【符号の説明】
【００６６】
２０          ワイパ装置
２２          スタンド
２４          シャフト
２６          円筒部
３０          ボディ
３２          ベース板
３４          スタブ
３６          上端
３８          軸受け面
４０          クランク
４２          自由端
４４          スイベル
４６          減衰ブロック
５０          ロッド
５２          上方ねじ切り部
５４          ねじ
５６          上側カラー
５６ｉ        下面
５６ｓ        上面
６４          ロック部材
６４ｉ        下面
６４ｓ        上面
６８          ハウジング
６９          溝
７０          ラグ
７２          スリーブ
７４ａ、７４ｂ  リリーフ
７６          ラグ
７８          内周面
８０          薄肉領域
８２          弾性リング
８４          溝
８６          破損誘導領域
８８          ねじ部
９０          六角孔
９２          軸方向孔
９４          ショルダ
９６          上側部分
９８          下側部分
１００        ねじ山
１０２        膨出部
【図１】
2005511381.tif 000003
【図２】
2005511381.tif 000004
【図３】
2005511381.tif 000005
【図４】
2005511381.tif 000006
【図５】
2005511381.tif 000007
【図６】
2005511381.tif 000008
【図７】
2005511381.tif 000009
【図８】
2005511381.tif 000010
【図９】
2005511381.tif 000011
【図１０】
2005511381.tif 000012
【図１１】
2005511381.tif 000013
【図１２】
2005511381.tif 000014
【国際調査報告】
2005511381.tif 000015
2005511381.tif 000016
2005511381.tif 000017
2005511381.tif 000018